(57)【特許請求の範囲】
【請求項１】
電話機のハンドセットのオフフック及びオンフックに応じてオン及びオフされるフックスイッチ構造であって、
一端が電話機筐体内部に固定されたフックスイッチ胴部と、
前記フックスイッチ胴部の他端から回動可能に延びる自由端部と、
前記電話機筐体内部において前記自由端部の近傍に設けられた接点部材と、
前記電話機筐体外面から前記フックスイッチ胴部に延びるフックボタンとを含み、
前記ハンドセットがオンフック状態のときに前記ハンドセットからの力は前記フックボタンを介して前記フックスイッチ胴部を押圧して、前記自由端部を前記接点部材に接触させ、前記ハンドセットがオンフック状態からオフフック状態に移行する際の所定範囲において前記自由端部は回動して前記接点部材との接触を維持することを特徴とするフックスイッチ構造。
【請求項２】
前記自由端部は曲面部を有し、前記所定範囲において前記自由端部の曲面部が前記接点部材と接触し続けることを特徴とする請求項１記載のフックスイッチ構造。
【請求項３】
前記フックスイッチ胴部は弾性体であり、前記ハンドセットからの力により押圧されて弾性変形することを特徴とする請求項１または２記載のフックスイッチ構造。
【請求項４】
前記フックスイッチ胴部と前記自由端部は一体成型されていることを特徴とする請求項１、２または３記載のフックスイッチ構造。
【請求項５】
請求項１〜４のいずれかに記載のフックスイッチ構造を有する電話機であって、前記フックボタンの頭部は前記ハンドセットがオフフック状態にあるとき、前記電話機筐体のクレイドルから突出し、前記ハンドセットがオンフック状態にあるとき、前記ハンドセットに押されて前記クレイドルの下に埋没することを特徴とする電話機。
【発明の詳細な説明】
【技術分野】
【０００１】
本発明は受話器を有する電話機のフックスイッチ構造に関し、特に高い汎用性を有するフックスイッチ構造に関する。
【背景技術】
【０００２】
オフィスや家庭においては、いわゆる固定式の電話機が多く使用されている。一般的な電話機の側面図を添付図面の図１に示す。電話機１０は筐体部１２と当該筐体部１２の上に載置されるハンドセット１４を有している。
【０００３】
図２は図１のハンドセット１４の耳当て部近傍の拡大部分縦断面図である。図２はハンドセット１４が筐体部１２に載置された状態（オンフック状態）を示している。オンフック状態ではクレイドル（凹部）１３にハンドセット１４の耳あて部１４ａが置かれる。ハンドセット１４の下にあるフックボタン１８はフックボタン軸１９を中心に回動可能である。図２においてフックボタン１８の頭部１８ａはクレイドル孔１３ａから突出した状態（オフフック状態：図２において破線で示す状態）から矢印Ｘのように回動して、実線で示す位置に至る。フックボタン１８の下端部（末端部）１８ｂはフックスイッチ２２のレバー２３に達している。フックボタンの頭部１８ａが矢印Ｘのように回動すると、フックボタンの下端部１８ｂはフックボタン軸１９を中心に矢印Ｙのように回動する。このフックボタン下端部１８ｂの回動により、フックスイッチのレバー２３も矢印Ｙのように動く。符号２０はプリント基板を示しており、符号２１はフックスイッチ軸に装着されたスプリングを示している。
【０００４】
図２のフックスイッチ２２の概略が図３に示されている。図２のフックボタン下端部１８ｂとフックスイッチレバー２３とプリント基板２０の位置関係は、説明の都合上、図３において上下反転されている。図３において破線がオフフック状態を示し、実線がオンフック状態を示している。図３において、フックスイッチ軸２５に装着されたスプリング２１によりフックボタン下端部１８ｂは矢印Ｚ方向に付勢されている。この付勢力は図２の矢印Ｙ方向及びＸ方向の反対方向の力であり、オフフック状態では、この付勢力によりフックボタン下端部１８ｂが破線（図２及び図３）の位置に維持され、フックボタン頭部１８ａ（図２）がクレイドル孔１３ａ（図２）から突出するようになっている。
【０００５】
オンフック状態では図３においてフックボタン下端部が矢印Ｙ方向に回動する。この回動動作に伴い、フックボタン下端部１８ｂがフックスイッチレバー２３を押し下げる（矢印Ｙ）。その結果、電話機がオンフック状態になる。このような矢印Ｙ方向及び矢印Ｚ方向のフックスイッチレバー２３の回動により、フックスイッチ内部に設けられている接点（図示せず）が接触状態または非接触状態となる。オフフック状態では、フックスイッチの内部に設けられている接点が非接触状態となり、通話可能状態になる（フックスイッチはＯＮ）。オンフック状態では、フックスイッチ内部の接点は接触状態（フックスイッチはＯＦＦ）となり、電話機は通話不可能状態となる。このような構造を有する電話機は例えば特許文献１に記載されている。
【０００６】
電話機に振動や軽い衝撃等の力が加えられたときのフックスイッチの誤作動を防止する構造も提案されている。例えば特許文献２にはスイッチレバーの回転動作によりフックスイッチがＯＮ状態からＯＦＦ状態に切り替わる際（あるいはＯＦＦ状態からＯＮ状態に切り替わる際）、フックスイッチが実質的に動作しない領域（非動作領域）を設けた構造が開示されている。
【先行技術文献】
【特許文献】
【０００７】
【特許文献１】特開平７−８７１７０号公報
【特許文献２】特開２０１０−２３３１８９号公報
【発明の概要】
【発明が解決しようとする課題】
【０００８】
上記したフックスイッチ２２はプリント基板２０に搭載される電子部品として部品メーカーが製造している場合が多い。部品メーカーは１つまたは複数存在し、部品メーカー毎に特徴を持った部品を製造している。図４（ａ）、（ｂ）、（ｃ）に３種類のフックスイッチ２２、１２２、２２２を例示した。電話機を製造するセットメーカーは、部品メーカーが製造するフックスイッチの中から、フックスイッチの外形寸法、種々の機械的特性（例えば、スプリング２１の復帰力、フックスイッチレバー２３のストローク量、耐久性、接点構造）及び部品価格等を考慮して適切な部品を選定し購入し、電話機の部品として使用している。尚、図４（ｂ）及び（ｃ）では図示を簡略化するためにスプリング２１は示されていない。
【０００９】
しかしながら、このように部品メーカーからフックスイッチを購入し電話機を組み立てるという製造スキームでは、ハンドセット（受話器）や電話機筐体の形状等をフックスイッチの形状等に合わせて設計しなければならない。また、採用するフックスイッチの構成部品の形状や特性も汎用性があるとは限らない。即ち、代替部品の入手が困難となる場合が想定される。フックスイッチが製造中止になった場合には、受話器や電話機の構造・設計を大きく変更する必要が出てくる可能性もある。１つの部品メーカーが存在しなくなった場合に代替部品メーカーを探すことも困難であると考えられる。
【００１０】
本発明は上記の如き事情を鑑みてなされたものであって、汎用性の高い電話機用フックスイッチ構造を提供することを目的としている。また、そのようなフックスイッチ構造を備える電話機を提供することも目的とする。
【発明を解決するための手段】
【００１１】
本発明による電話機のフックスイッチ構造は、電話機のハンドセットのオフフック及びオンフックに応じてオン及びオフされるフックスイッチ構造であって、一端が電話機筐体内部に固定されたフックスイッチ胴部と、当該フックスイッチ胴部の他端から回動（弾性変形）可能に延びる自由端部と、電話機筐体内部において前記自由端部の近傍に設けられた接点部材と、電話機筐体外面からフックスイッチ胴部に延びるフックボタンとを含み、ハンドセットがオンフック状態のときにハンドセットからの力はフックボタンを介してフックスイッチ胴部を押圧して、前記自由端部を前記接点部材に接触させ、ハンドセットがオンフック状態からオフフック状態に移行する際の所定範囲において前記自由端部は回動して前記接点部材との接触を維持することを特徴とするフックスイッチ構造である。
【００１２】
また、本発明は前記フックスイッチ構造を有する電話機であって、フックボタンの頭部は、ハンドセットがオフフック状態にあるとき、電話機筐体のクレイドルから突出し、ハンドセットがオンフック状態にあるとき、ハンドセットに押されてクレイドルの下に埋没することを特徴とする電話機も提供する。
【発明の効果】
【００１３】
本発明のフックスイッチ構造によれば、ハンドセットがオンフック状態からオフフック状態に移行する際の所定範囲においてフックスイッチの自由端部が回動して接点部材との接触を維持する。よって、電話機に衝撃等が作用しても直ちにフックスイッチがＯＮにはならず、フックスイッチの誤動作を防止することができる。この誤動作防止効果はフックスイッチ自由端部の回動という簡単な動作・構成により達成することができる。フックスイッチは胴部と自由端部から成るので、その製造は比較的容易であり、部品メーカーからフックスイッチを調達する必要はなくなる。
【図面の簡単な説明】
【００１４】
【図１】図１は電話機の側面図である。
【図２】図２は図１の電話機の拡大部分縦断面図である。
【図３】図３は図２のフックスイッチの動作を説明するための拡大断面図である。
【図４】図４（ａ）、（ｂ）、（ｃ）は種々のフックスイッチ形状を示す図である。
【図５】図５（ａ）は本発明の実施例に係るフックスイッチを備えた電話機の拡大部分縦断面図であり、オフフック状態を示し、（ｂ）は矢印Ａから見た図である。
【図６】図６はオンフック状態のフックスイッチ及びその周辺部品の拡大部分断面図である。
【図７】図７は図５及び図６のフックスイッチの側面図であり、（ａ）はオフフック状態を示し、（ｂ）はオンフック状態になった直後の状態を示し、（ｃ）はハンドセットが完全にクレイドルに載置された状態を示している。
【図８】図８は図７のフックスイッチの斜視図である。
【図９】図９は図７のフックスイッチの動作図である。
【発明を実施するための形態】
【００１５】
以下に本発明の実施例を添付図面に基づいて説明する。
【００１６】
本実施例のフックスイッチは図１に示された電話機１０に使用されるフックスイッチである。図１に示されているように電話機１０は筐体部１２と当該筐体部１２の上に載置されるハンドセット１４を有している。
【００１７】
まず、本発明のフックスイッチを備える電話機１０のオフフック状態とオンフック状態の基本的な動作とこれに関連する構成について図５及び図６を参照して説明する。尚、図１〜図４で説明した内容と同様なものについては以下の記載においても同じ参照符号を用いて説明する。
【００１８】
図５（ａ）はハンドセット１４を持ち上げた状態（オフフック状態）における筐体部１２の内部構造を示す部分断面図である。筐体部１２は、本体（ハウジング）１６とフックボタン１８とプリント基板２０とフックスイッチ３０を有している。筐体部本体１６の右上部にはクレイドル（凹部）１３が形成されている。クレイドル１３にはハンドセット１４の耳あて部１４ａ（図６）が置かれる。フックボタン１８はフックボタン軸１９を中心に回動可能である。図５（ａ）においてフックボタン１８の頭部（上端部）１８ａはクレイドル１３に形成された孔１３ａから上方に突出している。フックボタン１８はその頭部１８ａの近傍においてフックボタン軸１９に支持され、プリント基板２０の下方まで延び、その後、プリント基板２０の下面に沿って左方向へ延びている。フックボタン１８の下端部（末端部）１８ｂにはフックスイッチ３０の自由端部３１近傍が当接している。フックスイッチ３０の他端（基端）３０ａはプリント基板２０に固定された固定端である。フックスイッチ３０の基端３０ａは本実施例では、プリント基板２０の下面に半田付けされている。フックスイッチ３０の材料は適度な弾性と導電率を有するものを使用する。本実施例では価格も考慮して、りん青銅（ｔ＝０．２ｍｍ）を使用する。
【００１９】
フックスイッチ３０はプリント基板２０に固定されており且つ適度な弾性を有する。この弾性を利用して、図５（ａ）の状態にあっては、フックスイッチ３０の自由端部３１がフックボタン下端部１８ｂに下向きの付勢力（反時計方向の付勢力）をかけるようになっている。この付勢力によりフックボタン１８はフックボタン軸１９を中心に反時計方向に付勢されるので、オフフック状態においてはフックボタンの頭部１８ａがクレイドル孔１３ａから突出した状態に維持される。プリント基板２０は筐体部本体１６内に固定されている。
【００２０】
図５（ｂ）は図５（ａ）の矢印Ａの方向からフックボタン１８とフックスイッチ３０とクレイドル１３を見た様子を示している。図５（ｂ）からわかるようにフックボタン１８はフックボタン軸１９よりも上の部分（頭部）がクレイドル側に延び、フックボタン軸１９より下の部分はまずフックボタン軸方向に延び、その後、垂直に屈曲し、再度フックボタン軸方向に延びてフックスイッチ３０の自由端部３１に至っている。フックボタンの末端部１８ｂがフックスイッチ３０の自由端部３１に当接している。プリント基板２０はクレイドル１３の隣に位置している。
【００２１】
図６はハンドセット１４の耳当て部１４ａをクレイドル１３に載置した状態（オンフック状態）を示す断面図である。図５（ａ）を参照しつつ図６を見るとわかるように、ハンドセット耳当て部１４ａがクレイドル１３に載置されると、ハンドセット１４の自重によりフックボタン頭部１８ａがフックボタン軸１９を中心に時計方向に回転し（矢印Ｘ）、フックボタン頭部１８ａはクレイドル孔１３ａに埋没する。フックスイッチ３０の付勢力よりハンドセット１４の自重の方が大きいので、フックボタン頭部１８ａは時計方向に回転することができる。この回転動作に伴い、フックボタンの下端側１８ｂも時計方向に回転し（矢印Ｙ）、フックボタン下端部１８ｂがフックスイッチ自由端部３１を押し上げる。その結果、電話機１０がオンフック状態になる。オンフック状態では電話機１０による通話が不可能となる。この状態では、フックスイッチ３０の内部に設けられている接点は接触状態となり、通話機能ＯＦＦ状態になる（フックスイッチＯＦＦ）。尚、図６においてハンドセット１４をクレイドル１３に載置する前のフックボタン１８は破線で示されている。フックボタン１８の回転動作中、フックボタン軸１９の位置は不変であり、プリント基板２０の位置も不変である。
【００２２】
図６の状態からハンドセットを持ち上げると、フックスイッチ３０からの付勢力により、クレイドル孔１３ａに埋没していたフックボタン頭部１８ａが上方に回動してクレイドル孔１３ａから突出し、フックボタン１８及びフックスイッチ３０が図５（ａ）の状態に戻り、オフフック状態となる。オフフック状態では電話機１０による通話が可能となる。この状態では、フックスイッチ３０の内部に設けられている接点は非接触状態となり、通話機能ＯＮ状態になる（フックスイッチＯＮ）。
【００２３】
図７は図５及び図６に示したフックボタン下端部１８ｂとフックスイッチ３０を拡大して示した図である。尚、図７では説明の都合上、図５に示されているフックボタン下端部１８ｂ、フックスイッチ３０及びプリント基板２０の位置関係は上下が逆になっている。図６の矢印Ｙと図７の矢印Ｙは同じ動作を示す矢印である。
【００２４】
本実施例のフックスイッチ３０は、電話機１０に振動や軽い衝撃等の力が加えられたときのフックスイッチ３０の誤作動を防止する構造を備えている。この構造により、フックスイッチ３０がＯＦＦ状態からＯＮ状態に切り替わる際、フックスイッチ３０が実質的に動作しない領域（非動作領域）を設けている。この構造についても図７に基づいて説明をする。
【００２５】
図７（ａ）はオフフック状態を示し、図７（ｂ）はオフフック状態からオンフック状態になった状態を示している。図７（ｃ）もオンフック状態を示しているが、図７（ｂ）から図７（ｃ）に変わる際、フックボタン下端部１８ｂは下方に移動しているが、フックスイッチ３０のオン・オフ状態は変わらない（ＯＦＦ状態のままである）。図７（ｂ）から図７（ｃ）の間を本実施例では非動作領域と称する。
【００２６】
オフフック状態（図７（ａ））においては、フックスイッチ３０は当初の形状・位置を取る。フックスイッチ３０は、プリント基板２０に固定されている基端部３０ａと、基端部３０ａから垂直に延びてその後プリント基板２０にほぼ平行に延びる胴部３０ｂと、胴部３０ｂの先端に設けられた（形成された）自由端部３１とからなる。自由端部３１は底浅の皿のような形状を有している。この自由端部３１は胴部３０ｂの先端（右端）を中心として胴部方向に回動（弾性変形）可能になっている。フックスイッチ３０はＹ方向とは反対の方向に付勢力を発生しており、フックスイッチ３０の当初形状・位置はフックボタン下端部１８ｂにより決められる。この状態において、フックスイッチ３０の自由端部３１は胴部３０ｂとプリント基板２０の間に位置している。図８はフックスイッチ３０の斜視図である。本実施例ではフックスイッチ３０の基端部３０ａは２つの折り曲げ部を有しており、折り曲げ部がプリント基板２０に固定されている。また、基端部３０ａと胴部３０ｂと自由端部３１は一体的に（１ピース部品として）形成されている。自由端部３１は下方に凸状の曲面部３１ａを有している。自由端部３１は、例えば、１枚の長方形材料の頭部をプレス加工することにより形成することができる。フックスイッチは弾性体である。
【００２７】
ハンドセット１４がクレイドル１３に載置されると、フックボタン下端部１８ｂは図７（ａ）の位置から図７（ｂ）の位置に移動する（矢印Ｙ）。フックボタン下端部１８ｂはフックスイッチの胴部３０ｂ先端に当接しており、フックボタン下端部１８ｂのＹ方向移動に伴い、フックスイッチ３０の胴部先端及びこれに繋がっている自由端部３１もＹ方向に移動する。この間、フックスイッチの基端３０ａの位置は不変であり、胴部３０ｂは基端３０aを基に弾性変形する。フックボタン下端部１８ｂが所定距離Ｙ方向に移動すると、フックスイッチ３０の自由端部３１がプリント基板２０に接する。この状態が図７（ｂ）に示されている。この状態になると、フックスイッチはＯＦＦになり、通話不能状態となる。但し、この状態では、ハンドセットの耳当て部１４ａは完全にクレイドル１３に納まっていない。つまり、フックボタン頭部１８ａはクレイドル穴１３ａに完全に埋没していない。図７（ａ）から図７（ｂ）への移動は、ハンドセット１４からの力がフックボタン１８を介して胴部３０ｂを押圧して自由端部３１をプリント基板２０に接触させた結果である。尚、プリント基板２０は自由端部３１に接触するので、プリント基板２０を接点部材と称することができる。この接点部材（プリント基板２０）は電話機筐体内部において自由端部３１の近傍に設けられている。
【００２８】
図７（ｂ）から図７（ｃ）への移動は、フックボタン頭部１８ａがクレイドル孔１３ａに完全に埋没する際の移動である。すなわち、図７（ｂ）の状態ではフックボタン頭部１８ａがわずかにクレイドル孔１３ａから突出しているので、さらに下方に移動する余地がある。つまり、フックボタン下端部１８ｂもさらに移動する余地がある。フックボタン下端部１８ｂが図７（ｂ）の位置から図７（ｃ）の位置へ移動する際、フックスイッチ３０の自由端部３１はプリント基板２０に接触したままである。詳しくは自由端部３１の曲面部３１ａが転動しながらプリント基板２０に接触し続ける。フックスイッチ３０の自由端部３１は胴部先端を中心として回動（弾性変形）できるので、図７（ｂ）から図７（ｃ）になる間、自由端部３１はプリント基板２０に接触したまま回動（転動）する。最終的には自由端部３１はフックスイッチ３０の胴部３０ｂに当接する。このとき、自由端部３１の曲面部３１ａの最下部がプリント基板２０に接触する。よって、この間、フックスイッチ３０はＯＦＦ状態のままである。図７（ｃ）の状態でハンドセットの耳当て部１４ａはクレイドル１３に完全に納まった状態となり、フックボタン頭部１８ａはクレイドル孔１３ａに完全に埋没した状態となる（図６の実線）。尚、図７（ｂ）から図７（ｃ）へ移行する際のフックスイッチ３０の自由端部３１の上記回動（胴部先端を中心にした回動）は、フックスイッチ３０全体で考えた場合、フックスイッチ３０の弾性変形であると言える。図７（ａ）から図７（ｃ）への動作をフックボタン１８から見ると、フックボタン１８の押下動作と表現することができる。図７（ａ）から図７（ｂ）への移行（あるいは図７（ａ）から図７（ｂ）を経て図７（ｃ）に至る移行）もフックスイッチ３０全体で見た場合、フックスイッチ３０の弾性変形であると言える。
【００２９】
図７（ｃ）の状態からハンドセットが上げられると、図７（ｂ）の状態を経て、図７（ａ）の状態（オフフック状態）になり、フックスイッチ３０及びその自由端部３１は当初の位置に戻る。図７（ｃ）から図７（ａ）への動作をフックボタン１８から見ると、フックボタン１８の解放動作と表現することができる。
【００３０】
本実施例では、例えば、ハンドセットの荷重が７５ｇ〜１００ｇ程度であるとすると、この荷重によりフックスイッチ３０が図７（ａ）の状態から図７（ｃ）の状態に弾性変形するようになっている。フックスイッチ３０が発生する付勢力の大きさは、図７（ｂ）の状態でプリント基板２０と自由端部３１が十分な接触をするような値にされる。また、図７（ａ）〜図７（ｃ）の間の動作によりフックスイッチ３０は塑性変形しない。
【００３１】
本実施例のフックスイッチ３０によれば、電話機１０に振動や軽い衝撃等の力が加えられたときのフックスイッチ３０の誤作動を防止することができる。そのためにフックスイッチ３０は、フックボタン１８の回動によりＯＦＦ状態からＯＮ状態に切り替わる際、フックスイッチが実質的に動作しない領域（非動作領域）を有している。図９はこの非動作領域を説明するための図である。図９に示されているように、ハンドセットを電話機筐体部１２から持ち上げる場合（オンフック状態からオフフック状態に移行する際）、フックボタン下端部１８ｂが所定範囲（所定距離）移動してもフックスイッチ３０はプリント基板２０から離れない（図７（ｃ）から図７（ｂ）の間）。この間では、フックスイッチ３０の自由端部３１がプリント基板２０に接触したままである（自由端部３１は回動してプリント基板２０との接触を維持する）ので、フックスイッチ３０はＯＦＦのままである（通話機能ＯＦＦ）。つまり、ハンドセット１４を電話機筐体１２から持ち上げても、所定範囲（非動作領域）ではフックスイッチ３０が実質的に動作しないようになっている（フックボタン１８は動くが、その動きがフックスイッチ接点の接触非接触動作とは無関係になっている）。その後さらにハンドセット１４が持ち上げられると、フックスイッチ３０（さらに具体的には自由端部３１）がプリント基板２０から離れる（図９のＯＮ領域）。これが図７（ｂ）から図７（ａ）への移行である。
【００３２】
尚、図７（ｂ）から図７（ｃ）への移行または図７（ｃ）から図７（ｂ）への移行の際の自由端部３１の曲面部３１ａの動きは、プリント基板２０との関係で表現すれば、プリント基板２０に接触しながらプリント基板２０上を転動していると言える。
【００３３】
図９の「非動作領域」の右のわずかなＯＦＦ領域が従来の電話機のＯＦＦ領域であり、このように小さなＯＦＦ領域しかないとすると、電話機に軽い衝撃が作用した場合に直ちにＯＮ領域に入ってしまう。本実施例では、従来のＯＦＦ領域にプラスして非動作領域を設けたので、電話機に衝撃が作用しても直ちにＯＮ領域には入らない。オンフック状態において電話機１０に衝撃が作用しても非動作領域の範囲でフックボタン下端部１８ｂが移動する限り、電話機が通話可能状態になることはない。図９の非動作領域ではフックスイッチの接点は接触状態に維持される（フックスイッチはＯＦＦ）。尚、本実施例では非動作領域は数ミリ（例えば、１ｍｍ〜２ｍｍ程度）である。
【００３４】
本実施例のフックスイッチ３０は上記説明及び図８から分かるように、金属製の単部品であるので、複雑な金型等を必要とせず、自社製造が可能である。よって、フックスイッチ３０の部品コストの低減及び部品調達性の向上を達成することができる。また、フックスイッチ３０を自社製造することにより、電話機のサイズやデザインに合わせてフックスイッチ３０をカスタマイズすることが可能となる。外部の部品メーカーからフックスイッチを調達しないので、フックスイッチ製造中止に伴う電話機全体の設計変更を回避することもできる。
【００３５】
尚、本発明は上記した実施例に限定されない。例えば、フックスイッチ３０の材料はりん青銅としたが、りん青銅と同じ特性を有する材料であれば別の材料を採用してもよい。また、図９の非動作領域は１ｍｍ〜２ｍｍ程度としたが、それより大きくてもよい。さらに、上記の記載においては本発明のフックスイッチを固定電話機に使用した場合について説明したが、フックボタンあるいはそれと同等の機能を有する部材によりオンオフされるフックスイッチであれば、固定電話機以外（例えば、携帯型の電話機）に使用することもできる。
【００３６】
また、フックスイッチ３０の胴部３０ｂはプリント基板２０に固定されるとしたが、電話機筐体部１２（または本体１６）の内部のプリント基板以外の部材に固定されてもよい。
【００３７】
さらに、前記実施例ではフックスイッチ３０は一体的に形成されるとしたが、別個に用意した２つの部分から構成されるようにしてもよい。例えば、フックスイッチは板バネ部と自由端部により構成することができる。板バネ部は図７の基部３０ａと胴部３０ｂからなり、自由端部は図７の自由端部３１からなる。板バネ部と自由端部３１は別々に製造し、板バネ部の先端に自由端部３１を付設すればよい。付設する際、自由端部３１が図７（ｂ）から図７（ｃ）に示したように回動できるような構成とする。また、板バネ部の材料は自由端部３１の材料と同じでも異なってもよい。
【００３８】
本発明のフックスイッチは、電話機のハンドセットのオンフック時にハンドセットからの力を受けて移動または変形（あるいは、移動且つ変形）する部材（図７の胴部３０ｂに相当する部材）と、当該部材から延びる回動可能部材（図７の自由端部３１に相当する部材）を含み、当該回動可能部材が非動作領域を有すればよい。
【符号の説明】
【００３９】
１０    電話機  
１２    筐体部
１３    クレイドル
１４    ハンドセット
１８    フックボタン
２０    プリント基板（接点部材）  
３０    フックスイッチ    
３０ａ  胴部
３１    自由端部
３１ａ  曲面部
【図１】
0005533757.tif 000002
【図２】
0005533757.tif 000003
【図３】
0005533757.tif 000004
【図４】
0005533757.tif 000005
【図５】
0005533757.tif 000006
【図６】
0005533757.tif 000007
【図７】
0005533757.tif 000008
【図８】
0005533757.tif 000009
【図９】
0005533757.tif 000010